(57)【要約】【課題】光信号強度を精度よくモニタすることが可能な光受信器を提供する。【解決手段】光受信器１は、入力光Ｏｉｎに対応した光電流Ｉｏｒｇを生成するフォトダイオード２と、光電流Ｉｏｒｇに対応する大きさのモニタ電流Ｉｍｏｎ１、及び光電流Ｉｏｒｇに対応する大きさを有しモニタ電流Ｉｍｏｎ１とは極性が異なる第２のモニタ電流Ｉｍｏｎ２を生成する電流極性切替部（モニタ電流生成部）８と、モニタ電流Ｉｍｏｎ１，Ｉｍｏｎ２をそれぞれ電圧信号Ｖｍｏｎ１，Ｖｍｏｎ２に変換する電流電圧変換器１０と、電圧信号Ｖｍｏｎ１と電圧信号Ｖｍｏｎ２との差分に基づき入力光Ｏｉｎに関するモニタ信号Ｓｍｏｎを生成する差信号生成部１６とを備える。【選択図】図１
2008035204.tif 000002
【特許請求の範囲】
【請求項１】
入力光に対応した光電流を生成するフォトダイオードと、
前記光電流に対応する大きさの第１のモニタ電流、及び前記光電流に対応する大きさを有し前記第１のモニタ電流とは極性が異なる第２のモニタ電流を生成するモニタ電流生成部と、
前記第１及び第２のモニタ電流をそれぞれ第１及び第２の電圧信号に変換する電流電圧変換器と、
前記第１の電圧信号と前記第２の電圧信号との差分に基づき前記入力光に関するモニタ信号を生成する差信号生成部と
を備えることを特徴とする、光受信器。
【請求項２】
前記差信号生成部が、
前記第１及び第２の電圧信号をそれぞれ第１及び第２のデジタル信号に変換するＡ／Ｄ変換器と、
前記第１及び第２のデジタル信号をそれぞれ格納する第１及び第２のレジスタと、
前記第１及び第２のレジスタから前記第１及び第２のデジタル信号を各々読み出し、前記第１及び第２のデジタル信号の差分を演算して前記モニタ信号を生成する演算部と
を有することを特徴とする、請求項１に記載の光受信器。
【発明の詳細な説明】
【技術分野】
【０００１】
本発明は、光受信器に関するものである。
【背景技術】
【０００２】
光受信器において入力光の強度をモニタするための回路としては、下記特許文献１に記載のものが知られている。この回路は、光信号を受けて光電流を生成するフォトダイオードと、該光電流に応じた電流を電圧信号に変換するための電流電圧変換回路とを備える。そして、この電流電圧変換回路のオペアンプの出力と帰還ループの出力との間にダイオードを設けることにより、オペアンプの出力電圧をプラス側にシフトさせ、オペアンプの線形出力範囲に起因する誤差を低減している。
【特許文献１】特開２００３−１９８２７９号公報
【発明の開示】
【発明が解決しようとする課題】
【０００３】
しかしながら、オペアンプの出力電圧には入力オフセット成分が含まれる。すなわち、オペアンプの出力電圧Ｖｏｕｔは、次の数式（１）によって表される。なお、Ｉｐｄはフォトダイオードを流れる光電流の大きさであり、Ｇは電流電圧変換回路の変換利得であり、Ｖｏｓはオペアンプの入力オフセット成分である。
【数１】
2008035204.tif 000003
従って、モニタ信号に含まれる誤差Ｖｅｒｒは、次の数式（２）となる。
【数２】
2008035204.tif 000004
数式（２）から理解できるように、光信号の強度が小さくなると（すなわちＩｐｄが小さくなると）、モニタ信号に含まれる誤差Ｖｅｒｒが無視できない大きさとなり、光信号強度を精度よくモニタすることが困難となる。
【０００４】
本発明は、上記した問題点を鑑みてなされたものであり、光信号強度を精度よくモニタすることが可能な光受信器を提供することを目的とする。
【課題を解決するための手段】
【０００５】
上記した課題を解決するために、本発明による光受信器は、入力光に対応した光電流を生成するフォトダイオードと、光電流に対応する大きさの第１のモニタ電流、及び光電流に対応する大きさを有し第１のモニタ電流とは極性が異なる第２のモニタ電流を生成するモニタ電流生成部と、第１及び第２のモニタ電流をそれぞれ第１及び第２の電圧信号に変換する電流電圧変換器と、第１の電圧信号と第２の電圧信号との差分に基づき入力光に関するモニタ信号を生成する差信号生成部とを備えることを特徴とする。
【０００６】
上記した光受信器では、フォトダイオードにおいて入力光に対応して生成された光電流の大きさが第１及び第２のモニタ電流としてモニタされるとともに、電流電圧変換器によって第１及び第２のモニタ電流がそれぞれ第１及び第２の電圧信号に変換される。この際、第１のモニタ電流に基づく第１の電圧信号と、第２のモニタ電流に基づく第２の電圧信号とは互いに極性が異なるが、電流電圧変換器において付加される入力オフセット成分は同極性となる。従って、差信号生成部において第１の電圧信号と第２の電圧信号との差分を求めることにより、各信号に含まれる入力オフセット成分が相殺される。このように、上記した光受信器によれば、入力オフセット成分を相殺することにより、入力光の強度が微弱で光電流が小さい場合であっても、モニタ信号の精度を向上させることができる。
【０００７】
また、光受信器は、差信号生成部が、第１及び第２の電圧信号をそれぞれ第１及び第２のデジタル信号に変換するＡ／Ｄ変換器と、第１及び第２のデジタル信号をそれぞれ格納する第１及び第２のレジスタと、第１及び第２のレジスタから第１及び第２のデジタル信号を各々読み出し、第１及び第２のデジタル信号の差分を演算してモニタ信号を生成する演算部とを有することを特徴としてもよい。これにより、上記光受信器の差信号生成部を好適に実現できる。
【発明の効果】
【０００８】
本発明による光受信器によれば、光信号強度を精度よくモニタすることができる。
【発明を実施するための最良の形態】
【０００９】
以下、添付図面を参照しながら本発明による光受信器の実施の形態を詳細に説明する。なお、図面の説明において同一の要素には同一の符号を付し、重複する説明を省略する。
【００１０】
図１は、本発明の好適な一実施形態である光受信器の構成を示すブロック図である。同図に示す光受信器１は、信号光（入力光）Ｏｉｎに対応した差動信号Ｓｏｕｔ＋，Ｓｏｕｔ−を外部に出力するための光通信モジュールである。光受信器１は、光電変換部５、モニタ信号生成部６、及びリミッティングアンプ７を備えている。
【００１１】
光電変換部５は、信号光Ｏｉｎの強度に応じて光電流Ｉｏｒｇを生成するＰＩＮフォトダイオード、アバランシェフォトダイオード等のフォトダイオード２と、フォトダイオード２のアノード電極に接続され、光電流Ｉｏｒｇを電圧信号に変換するトランスインピーダンスアンプ（プリアンプ）４と、フォトダイオード２のカソード電極に接続され、光電流Ｉｏｒｇを時間的に平均化して電流信号Ｉｐｄを出力するフィルタ回路３とを有する。フォトダイオード２によって生成された光電流Ｉｏｒｇは、帰還抵抗４ａにより定まる変換利得でもってトランスインピーダンスアンプ４において電圧信号に変換される。
【００１２】
リミッティングアンプ７は、トランスインピーダンスアンプ４の出力端に接続され、トランスインピーダンスアンプ４からの電圧信号を増幅するとともに、その電圧信号を差動信号Ｓｏｕｔ＋，Ｓｏｕｔ−に変換する。差動信号Ｓｏｕｔ＋，Ｓｏｕｔ−は、リミッティングアンプ７の後段に設けられる受信信号処理回路（図示せず）へ受信信号として出力される。
【００１３】
モニタ信号生成部６は、光電変換部５から出力された電流信号Ｉｐｄに基づいて、信号光Ｏｉｎの平均強度を示すモニタ信号Ｓｍｏｎを出力する。本実施形態のモニタ信号生成部６は、電流極性切替部８、電流電圧変換器１０、Ａ／Ｄ変換器（アナログデジタルコンバータ）１１、セレクタ１２、レジスタ１３ａ（第１のレジスタ）、レジスタ１３ｂ（第２のレジスタ）、演算部１４、及び制御部１５を有する。
【００１４】
電流極性切替部８は、本実施形態におけるモニタ電流生成部であり、フィルタ回路３から出力された電流信号Ｉｐｄを検出して、電流信号Ｉｐｄに比例する大きさのモニタ電流Ｉｍｏｎ１（第１のモニタ電流）、及び電流信号Ｉｐｄに比例する大きさを有しモニタ電流Ｉｍｏｎ１とは極性が異なるモニタ電流Ｉｍｏｎ２（第２のモニタ電流）を生成する。電流信号Ｉｐｄは、フォトダイオード２へ入射する信号光Ｏｉｎの平均強度Ｐｉｎ［Ｗ］に比例し、例えば、近似的にＩｐｄ＝ｒ×Ｐｉｎで（ｒは、ｒ＞０の実数を表す）与えられる。電流極性切替部８は、α倍（αは、α＞０の実数を表す）の変換率でモニタ電流Ｉｍｏｎ１＝Ｉｐｄ／αを生成するとともに、−α倍の変換率でモニタ電流Ｉｍｏｎ２＝−Ｉｐｄ／αを生成する。なお、以下の説明においては簡単のためα＝１とする。電流極性切替部８は、制御部１５からの制御信号に応じて、モニタ電流Ｉｍｏｎ１及びＩｍｏｎ２の何れか一方を選択的に出力する。
【００１５】
電流電圧変換器１０は、電流極性切替部８の後段に接続される。電流電圧変換器１０は、電流極性切替部８からモニタ電流Ｉｍｏｎ１が出力されると、このモニタ電流Ｉｍｏｎ１を受け取って、電圧信号Ｖｍｏｎ１（第１の電圧信号）に変換する。また、電流電圧変換器１０は、電流極性切替部８からモニタ電流Ｉｍｏｎ２が出力されると、このモニタ電流Ｉｍｏｎ２を受け取って、電圧信号Ｖｍｏｎ２（第２の電圧信号）に変換する。電流電圧変換器１０は、生成した電圧信号Ｖｍｏｎ１または電圧信号Ｖｍｏｎ２をＡ／Ｄ変換器１１へ出力する。
【００１６】
Ａ／Ｄ変換器１１、セレクタ１２、レジスタ１３ａ及び１３ｂ、並びに演算部１４は、差信号生成部１６を構成する。差信号生成部１６は、電圧信号Ｖｍｏｎ１と電圧信号Ｖｍｏｎ２との差分に基づいて、入力光Ｏｉｎに関するモニタ信号Ｓｍｏｎを生成するための回路部分である。Ａ／Ｄ変換器１１は、電流電圧変換器１０の後段に接続されている。Ａ／Ｄ変換器１１は、電流電圧変換器１０から電圧信号Ｖｍｏｎ１が出力されると、この電圧信号Ｖｍｏｎ１を受け取って、デジタル信号Ｄｍｏｎ１（第１のデジタル信号）に変換する。また、Ａ／Ｄ変換器１１は、電流電圧変換器１０から電圧信号Ｖｍｏｎ２が出力されると、この電圧信号Ｖｍｏｎ２を受け取って、デジタル信号Ｄｍｏｎ２（第２のデジタル信号）に変換する。
【００１７】
セレクタ１２は、Ａ／Ｄ変換器１１の後段に接続されている。セレクタ１２は、デジタル信号Ｄｍｏｎ１を入力する際に、Ａ／Ｄ変換器１１の出力端をレジスタ１３ａに接続し、デジタル信号Ｄｍｏｎ１をレジスタ１３ａに格納させる。また、セレクタ１２は、デジタル信号Ｄｍｏｎ２を入力する際に、Ａ／Ｄ変換器１１の出力端をレジスタ１３ｂに接続し、デジタル信号Ｄｍｏｎ２をレジスタ１３ｂに格納させる。このようなセレクタ１２の切り替え動作は、制御部１５からの制御信号に従って行われる。すなわち、セレクタ１２は、電流極性切替部８からモニタ電流Ｉｍｏｎ１が出力されるタイミングに同期してＡ／Ｄ変換器１１の出力端をレジスタ１３ａに接続し、モニタ電流Ｉｍｏｎ２が出力されるタイミングに同期してＡ／Ｄ変換器１１の出力端をレジスタ１３ｂに接続する。
【００１８】
演算部１４は、制御部１５から指示されたタイミングで、レジスタ１３ａ，１３ｂからデジタル信号Ｄｍｏｎ１，Ｄｍｏｎ２を各々読み出し、デジタル信号Ｄｍｏｎ１及びＤｍｏｎ２の差分を演算してモニタ信号Ｓｍｏｎを生成する。モニタ信号Ｓｍｏｎは、信号光Ｏｉｎの平均強度を示す信号としてモニタ信号生成部６の外部へ提供される。
【００１９】
次に、モニタ信号生成部６の回路構成の一例について、より詳細に説明する。図２は、モニタ信号生成部６の具体的な回路構成例を示す図である。
【００２０】
電流極性切替部８は、カレントミラー回路２１（第１のカレントミラー回路）と、カレントミラー回路２２（第２のカレントミラー回路）と、抵抗素子２４及び２５と、セレクタ２６及び２７とを有する。カレントミラー回路２１は、モニタ電流Ｉｍｏｎ１を生成するための回路であり、一対のＰＮＰ型トランジスタ２１ａ及び２１ｂを含む。具体的には、トランジスタ２１ａ及び２１ｂのベース端子同士が接続されており、該接続点はトランジスタ２１ａのコレクタ端子に接続されている。トランジスタ２１ａのコレクタ端子は、フィルタ回路３を介してフォトダイオード２のカソードに接続されている。トランジスタ２１ａ及び２１ｂの各エミッタ端子には、電源電圧Ｖｃｃが供給される。この構成によって、トランジスタ２１ａを電流信号Ｉｐｄが流れ、トランジスタ２１ｂからは電流信号Ｉｐｄとほぼ同じ大きさのモニタ電流Ｉｍｏｎ１が出力される。カレントミラー回路２１から後段への向き（図中の矢印Ａの向き）を正方向と定義すると、このモニタ電流Ｉｍｏｎ１は正の大きさをもつ電流である。
【００２１】
なお、カレントミラー回路２１には、上述したトランジスタ２１ａ及び２１ｂに加え、更にトランジスタ２１ｃが設けられている。トランジスタ２１ｃは、後述するカレントミラー回路２２へ電流信号Ｉｐｄの相当電流を供給するために設けられる。トランジスタ２１ｃのベース端子はトランジスタ２１ａのベース端子と接続され、エミッタ端子には電源電圧Ｖｃｃが供給され、コレクタ端子からは電流信号Ｉｐｄとほぼ同じ大きさの電流Ｉａが出力される。
【００２２】
カレントミラー回路２２は、モニタ電流Ｉｍｏｎ２を生成するための回路であり、一対のＮＰＮ型トランジスタ２２ａ及び２２ｂを含む。具体的には、トランジスタ２２ａ及び２２ｂのベース端子同士が接続されており、該接続点はトランジスタ２２ａのコレクタ端子に接続されている。トランジスタ２２ａのコレクタ端子には、トランジスタ２１ｃから電流Ｉａが供給される。トランジスタ２２ａ及び２２ｂの各エミッタ端子は、接地されている。この構成によって、トランジスタ２２ａを電流Ｉａが流れ、トランジスタ２２ｂからは電流Ｉａとほぼ同じ大きさの（すなわち、電流信号Ｉｐｄとほぼ同じ大きさの）モニタ電流Ｉｍｏｎ２が出力される。カレントミラー回路２２から後段への向き（図中の矢印Ｂの向き）を正方向と定義すると、このモニタ電流Ｉｍｏｎ２は負の大きさをもつ電流である。
【００２３】
セレクタ２６及び２７は、モニタ電流Ｉｍｏｎ１及びＩｍｏｎ２のうち何れか一方を選択的に出力するためのスイッチ部を構成する。セレクタ２６の入力端はトランジスタ２１ｂのコレクタ端子と接続されており、セレクタ２６の一方の出力端は電流電圧変換器１０の入力端に接続されており、セレクタ２６の他方の出力端は抵抗素子２４を介して接地されている。セレクタ２６は、制御部１５からの制御信号の論理が‘０’である場合には、トランジスタ２１ｂのコレクタ端子と電流電圧変換器１０の入力端とを相互に接続させ、制御部１５からの制御信号の論理が‘１’である場合には、トランジスタ２１ｂのコレクタ端子を抵抗素子２４を介して接地させる。
【００２４】
また、セレクタ２７の入力端はトランジスタ２２ｂのコレクタ端子と接続されており、セレクタ２７の一方の出力端は抵抗素子２５を介して電源電圧Ｖｃｃと接続されており、セレクタ２７の他方の出力端は電流電圧変換器１０の入力端に接続されている。セレクタ２７は、制御部１５からの制御信号の論理が‘０’である場合には、トランジスタ２２ｂのコレクタ端子を抵抗素子２５を介して電源電圧Ｖｃｃに接続させ、制御部１５からの制御信号の論理が‘１’である場合には、トランジスタ２２ｂのコレクタ端子と電流電圧変換器１０の入力端とを相互に接続させる。
【００２５】
すなわち、電流極性切替部８に入力される制御部１５からの制御信号の論理が‘０’である場合には、カレントミラー回路２１からのモニタ電流Ｉｍｏｎ１が電流電圧変換器１０へ出力され、制御信号の論理が‘１’である場合には、カレントミラー回路２２からのモニタ電流Ｉｍｏｎ２が電流電圧変換器１０へ出力される。
【００２６】
電流電圧変換器１０は、帰還抵抗として抵抗素子３２を有するオペアンプ３１から成る。オペアンプ３１の反転入力端には、モニタ電流Ｉｍｏｎ１，Ｉｍｏｎ２が入力される。オペアンプ３１の非反転入力端には、所定の参照電圧ＶＲＥＦ／２が入力される。電流電圧変換器１０の電流電圧変換利得であるトランスインピーダンスは、抵抗素子３２の抵抗値によって決定される。モニタ電流Ｉｍｏｎ１，Ｉｍｏｎ２は、電流電圧変換器１０によりその電流値に比例した電圧信号Ｖｍｏｎ１，Ｖｍｏｎ２に変換される。
【００２７】
Ａ／Ｄ変換器１１の入力端は、電流電圧変換器１０におけるオペアンプ３１の出力端に接続されており、Ａ／Ｄ変換器１１には電圧信号Ｖｍｏｎ１，Ｖｍｏｎ２が入力される。また、Ａ／Ｄ変換器１１には、アナログ−デジタル変換における基準電位ＶＲＥＦが供給される。Ａ／Ｄ変換器１１は、基準電位ＶＲＥＦを基準として電圧信号Ｖｍｏｎ１，Ｖｍｏｎ２を参照し、デジタル信号Ｄｍｏｎ１，Ｄｍｏｎ２を生成する。
【００２８】
セレクタ１２の入力端はＡ／Ｄ変換器１１の出力端と接続されており、セレクタ１２の一方の出力端はレジスタ１３ａに接続されており、セレクタ１２の他方の出力端はレジスタ１３ｂに接続されている。セレクタ１２は、制御部１５からの制御信号の論理が‘０’である場合には、Ａ／Ｄ変換器１１の出力端とレジスタ１３ａとを相互に接続させ、制御部１５からの制御信号の論理が‘１’である場合には、Ａ／Ｄ変換器１１の出力端とレジスタ１３ｂとを相互に接続させる。
【００２９】
演算部１４は、いわゆる減算器によって構成される。演算部１４の反転入力端はレジスタ１３ａに接続されており、演算部１４の非反転入力端はレジスタ１３ｂに接続されている。演算部１４は、制御部１５から指示されたタイミングで、レジスタ１３ａ，１３ｂからデジタル信号Ｄｍｏｎ１，Ｄｍｏｎ２を各々読み出し、デジタル信号Ｄｍｏｎ１及びＤｍｏｎ２の差分（Ｄｍｏｎ２−Ｄｍｏｎ１）を演算して、デジタル信号であるモニタ信号Ｓｍｏｎを生成する。
【００３０】
図２に示した構成を備える本実施形態の光受信器１の動作のうち、モニタ信号生成部６の動作について説明する。
【００３１】
まず、制御部１５から制御信号の論理‘０’が出力される。これにより、電流極性切替部８からはモニタ電流Ｉｍｏｎ１が出力される。このとき、電流電圧変換器１０から出力される電圧信号Ｖｍｏｎ１は、次の数式（３）に示される値となる。なお、Ｇは電流電圧変換器１０の変換利得であり、Ｖｏｓはオペアンプ３１の入力オフセット成分である。
【数３】
2008035204.tif 000005
【００３２】
また、このとき、Ａ／Ｄ変換器１１から出力されるデジタル信号Ｄｍｏｎ１が示す値ＡＤ１は、次の数式（４）に示される値となる。なお、数式中のＮ［ビット］は、Ａ／Ｄ変換器１１の分解能である。
【数４】
2008035204.tif 000006
数式（４）の値ＡＤ１を示すデジタル信号Ｄｍｏｎ１は、セレクタ１２によってレジスタ１３ａに格納される。
【００３３】
次に、制御部１５から制御信号の論理‘１’が出力される。これにより、電流極性切替部８からはモニタ電流Ｉｍｏｎ２が出力される。このとき、電流電圧変換器１０から出力される電圧信号Ｖｍｏｎ２は、次の数式（５）に示される値となる。
【数５】
2008035204.tif 000007
【００３４】
また、このとき、Ａ／Ｄ変換器１１から出力されるデジタル信号Ｄｍｏｎ２が示す値ＡＤ２は、次の数式（６）に示される値となる。
【数６】
2008035204.tif 000008
数式（６）の値ＡＤ２を示すデジタル信号Ｄｍｏｎ２は、セレクタ１２によってレジスタ１３ｂに格納される。
【００３５】
演算部１４は、デジタル信号Ｄｍｏｎ１及びＤｍｏｎ２をレジスタ１３ａ，１３ｂから読み出し、数式（４）に示された値ＡＤ１と、数式（６）に示された値ＡＤ２との差分（ＡＤ２−ＡＤ１）を演算する。すなわち、演算部１４から出力されるモニタ信号Ｓｍｏｎが示す値ＭＯＮは、次の数式（７）に示される値となる。
【数７】
2008035204.tif 000009
【００３６】
以上説明したように、光受信器１では、フォトダイオード２において生成される光電流Ｉｏｒｇに応じた電流信号Ｉｐｄがモニタ電流Ｉｍｏｎ１，Ｉｍｏｎ２としてモニタされるとともに、電流電圧変換器１０によってモニタ電流Ｉｍｏｎ１，Ｉｍｏｎ２がそれぞれ電圧信号Ｖｍｏｎ１，Ｖｍｏｎ２に変換される。この際、モニタ電流Ｉｍｏｎ１に基づく電圧信号Ｖｍｏｎ１と、モニタ電流Ｉｍｏｎ２に基づく電圧信号Ｖｍｏｎ２とは互いに極性が異なるが、電流電圧変換器１０において付加される入力オフセット成分ＶＯＳは同極性となる。従って、差信号生成部１６において電圧信号Ｖｍｏｎ１と電圧信号Ｖｍｏｎ２との差分（本実施形態では、デジタル信号Ｄｍｏｎ１とデジタル信号Ｄｍｏｎ２との差分）を求めることにより、数式（７）に示したように、各信号に含まれる入力オフセット成分ＶＯＳが相殺される。このように、本実施形態の光受信器１によれば、オペアンプ３１の入力オフセット成分ＶＯＳを相殺することにより、入力光Ｏｉｎの強度が微弱で光電流Ｉｏｒｇが小さい場合であっても、モニタ信号Ｓｍｏｎの精度を向上させることができる。
【００３７】
さらには、オペアンプ３１の入力オフセット成分ＶＯＳは温度変動や電源電圧の影響を受けるので、この入力オフセット成分ＶＯＳをモニタ信号Ｓｍｏｎから除去することで、電源電圧や温度変動に対して安定して光強度をモニタすることができる。また、オペアンプ３１の入力雑音も演算により除去されるので、モニタ信号ＳｍｏｎのＳ／Ｎ比が改善され、モニタ信号Ｓｍｏｎの精度を更に向上させることができる。なお、電流極性切替部８におけるカレントミラー回路２１及び２２の入出力比の誤差はモニタ信号Ｓｍｏｎの誤差の原因となるが、オペアンプ３１の入力オフセット成分ＶＯＳと異なりドリフトが無いため容易に補正可能である。
【００３８】
また、本実施形態では、モニタ信号生成部６を、Ａ／Ｄ変換器１１、セレクタ１２、レジスタ１３ａ及び１３ｂ、並びに演算部１４によって実現しているので、光受信器の小型化、及び低コスト化を容易に達成できる。
【００３９】
本発明による光受信器は、上記した実施形態に限られるものではなく、他に様々な変形が可能である。例えば、差信号生成部のＡ／Ｄ変換器、セレクタ、第１及び第２のレジスタ、及び演算部は、別々のハードウェア装置として構築されてもよいし、同一のＣＰＵボード上に機能的な構成要素として構築されていてもよい。また、差信号生成部は、上記実施形態のようなデジタル回路ではなく、アナログ回路によって構成されてもよい。また、上記実施形態では一つの電流電圧変換器によって第１及び第２のモニタ電流を第１及び第２の電圧信号に変換しているが、光受信器は、第１のモニタ電流を第１の電圧信号に変換する電流電圧変換器と、第２のモニタ電流を第２の電圧信号に変換する電流電圧変換器とを別個に備えても良い。
【図面の簡単な説明】
【００４０】
【図１】図１は、本発明の好適な一実施形態である光受信器の構成を示すブロック図である。
【図２】図２は、モニタ信号生成部の具体的な回路構成例を示す図である。
【符号の説明】
【００４１】
１…光受信器、２…フォトダイオード、３…フィルタ回路、４…トランスインピーダンスアンプ、５…光電変換部、６…モニタ信号生成部、７…リミッティングアンプ、８…電流極性切替部、１０…電流電圧変換器、１１…Ａ／Ｄ変換器、１２，２６，２７…セレクタ、１３ａ，１３ｂ…レジスタ、１４…演算部、１５…制御部、１６…差信号生成部、２１，２２…カレントミラー回路、３１…オペアンプ、Ｄｍｏｎ１，Ｄｍｏｎ２…デジタル信号、Ｉｍｏｎ１，Ｉｍｏｎ２…モニタ電流、Ｉｏｒｇ…光電流、Ｉｐｄ…電流信号、Ｏｉｎ…入力光、Ｓｍｏｎ…モニタ信号、Ｖｍｏｎ１，Ｖｍｏｎ２…電圧信号。
【図１】
2008035204.tif 000010
【図２】
2008035204.tif 000011